(57)【特許請求の範囲】
【請求項１】
鍋を載置する天板と、前記天板下方より鍋を加熱する加熱手段と、前記加熱手段に供給する電力を制御する加熱制御手段と、前記加熱制御手段に対応して設けた加熱条件を入力する操作手段と、前記操作手段への入力操作を検知する検知手段と、前記操作手段への電源供給後または調理終了後以降から未入力操作時間を計時して判定時間以上経過した時に判定時間到達信号を送る計時手段と、前記検知手段からの信号により前記加熱制御手段の制御および前記計時手段による判定時間到達信号により前記操作手段の加熱に関する入力操作の受付許可または禁止の制御を行う制御手段とを備え、前記各手段はそれぞれ独立した第一および第二の手段を有し、前記操作手段は、第一および第二の操作手段がともに入力操作受付不可の場合には、再度受付可能にする操作手段の選択を使用頻度が高い操作手段側でできるようにするとともに、その操作手段の未入力操作判定時間を他より長くした加熱装置。
【請求項２】
第一および第二の操作手段は天板の上面に設けるとともに、第一および第二の操作手段とは別に装置本体の前面に収納可能な第三の操作手段を設け、第一および第二の操作手段がともに入力操作受付不可の場合には、再度受付可能にする操作手段の選択を第三の操作手段で行うようにした請求項１に記載の加熱装置。
【請求項３】
第一〜第三の各操作手段に少なくとも１つ以上の未入力操作判定時間を記憶できる記憶手段を備え、未入力操作判定時間の設定および変更を可能とした請求項１または２に記載の加熱装置。
【請求項４】
再度入力操作受付可能にする操作手段の選択を行う操作手段を記憶できる記憶手段を備え、各操作手段が入力操作受付不可の場合に、再度入力操作受付可能にする操作手段の選択をどの操作手段にて行うかを設定および変更を可能とした請求項１〜３のいずれか１項に記載の加熱装置。
【請求項５】
操作手段のうちどの操作手段の入力操作が受付可能か受付不可かを使用者に知らせる１つまたは複数の発光素子を有する表示手段を備えた請求項１〜４のいずれか１項に記載の加熱装置。
【請求項６】
再度入力操作受付可能にする操作手段の入力操作が押し続けであり、入力操作受付可能にした後も継続して一定時間以上押し続けられていた場合、入力操作受付不可に戻すようにした請求項１〜５のいずれか１項に記載の加熱装置。
【発明の詳細な説明】
【技術分野】
【０００１】
本発明は、使用者が知らないうちに子供や小動物によってあるいは落下物などの不測の事態によって加熱操作が行われても加熱手段が容易に行えないようにした加熱装置に関するものである。
【背景技術】
【０００２】
従来、この種の加熱装置としては、電源供給後および／または加熱終了後、一定時間入力操作が行われない時、操作手段の入力操作を受け付けない構成とするとともに、一定時間は使用者の目の届く範囲の時間とすることにより、安全性の確保を図ったものが知られている（例えば、特許文献１参照）。
【特許文献１】特開２００３−７７６３４号公報
【発明の開示】
【発明が解決しようとする課題】
【０００３】
しかしながら、前記従来の構成では、電源供給後および／または加熱終了後、一定時間経過後でないと入力操作受付不可にしないので、少なくとも１つの加熱手段にて加熱を行っている最中に使用者が離れた時、加熱をしていない他方の加熱手段側にて不測の事態により加熱入力操作が行われ加熱動作する恐れがあった。また、双方の入力操作受付不可期間に一方の加熱手段のみを使用したい時でも、毎回、他の使用しない加熱手段側の操作手段も入力操作可能となる課題を有していた。
【０００４】
本発明は、前記従来の課題を解決するもので、不測の事態に対する安全性の向上と使い勝手の向上を図った加熱装置を提供することを目的とする。
【課題を解決するための手段】
【０００５】
前記従来の課題を解決するために、本発明の加熱装置は、鍋を載置する天板と、前記天板下方より鍋を加熱する加熱手段と、前記加熱手段に供給する電力を制御する加熱制御手段と、前記加熱制御手段に対応して設けた加熱条件を入力する操作手段と、前記操作手段への入力操作を検知する検知手段と、前記操作手段への電源供給後または調理終了後以降から未入力操作時間を計時して判定時間以上経過した時に判定時間到達信号を送る計時手段と、前記検知手段からの信号により前記加熱制御手段の制御および前記計時手段による判定時間到達信号により前記操作手段の加熱調理に関する入力操作の受付許可または禁止の制御を行う制御手段とを備え、前記各手段はそれぞれ独立した第一および第二の手段を有し、前記操作手段は、第一および第二の操作手段がともに入力操作受付不可の場合には、再度受付可能にする操作手段の選択を使用頻度が高い操作手段側でできるようにするとともに、その操作手段の未入力操作判定時間を他より長くしたものである。
【０００６】
これによって、不用意に加熱手段が加熱動作を行う機会を削減し、安全性を確保するとともに、使用者が立つ位置、すなわち使用頻度が高い操作手段側で再入力操作可能選択を行い、しかもその操作手段の未入力操作判定時間を他より長くし、使い勝手と安全性の向上を図った。
【発明の効果】
【０００７】
本発明の加熱装置は、不測の事態に対する安全性の向上と使い勝手の向上を図ることができる。
【発明を実施するための最良の形態】
【０００８】
第１の発明は、鍋を載置する天板と、前記天板下方より鍋を加熱する加熱手段と、前記加熱手段に供給する電力を制御する加熱制御手段と、前記加熱制御手段に対応して設けた加熱条件を入力する操作手段と、前記操作手段への入力操作を検知する検知手段と、前記操作手段への電源供給後または調理終了後以降から未入力操作時間を計時して判定時間以上経過した時に判定時間到達信号を送る計時手段と、前記検知手段からの信号により前記加熱制御手段の制御および前記計時手段による判定時間到達信号により前記操作手段の加熱に関する入力操作の受付許可または禁止の制御を行う制御手段とを備え、前記各手段はそれぞれ独立した第一および第二の手段を有し、前記操作手段は、第一および第二の操作手段がともに入力操作受付不可の場合には、再度受付可能にする操作手段の選択を使用頻度が高い操作手段側でできるようにするとともに、その操作手段の未入力操作判定時間を他より長くした加熱装置としたものである。これによって、不用意に加熱手段が加熱動作を行う機会を削減し、安全性を確保するとともに、使用者が立つ位置、すなわち使用頻度が高い操作手段側で再入力操作可能選択を行い、しかもその操作手段の未入力操作判定時間を他より長くし、使い勝手と安全性の向上を図った。
【０００９】
第２の発明は、特に、第１の発明において、第一および第二の操作手段は天板の上面に設けるとともに、第一および第二の操作手段とは別に装置本体の前面に収納可能な第三の操作手段を設け、第一および第二の操作手段がともに入力操作受付不可の場合には、再度受付可能にする操作手段の選択を第三の操作手段で行うようにしたことにより、鍋などの置き場所として未使用中の加熱手段上方の天板上を使用していた場合などにおいて、鍋や取っ手の位置などにより天板の上面の操作手段が視界に入らず、気付かないまたは予期せぬ事で操作手段が受付再可能になるような機会が更に減少することとなり、安全性を向上することができる。
【００１０】
第３の発明は、特に、第１または第２の発明において、第一〜第三の各操作手段に少なくとも１つ以上の未入力操作判定時間を記憶できる記憶手段を備え、未入力操作判定時間の設定および変更を可能としたことにより、夕食など忙しい食事の準備中など使用頻度の高い時間帯では未入力操作判定時間を延ばし、その他のあまり使用頻度が低い時間帯では逆に未入力操作判定時間を短くするといった調整や切り替えを行うこと、また使用者のキッチン環境や使用状況に合った形で、個々の操作手段の未入力操作時間を自由に選択することが可能となり、状況に応じた形で不用意に加熱手段が動作してしまうような機会が減少し、使い勝手および安全性を向上することができる。
【００１１】
第４の発明は、特に、第１〜第３のいずれか１つの発明において、再度入力操作受付可能にする操作手段の選択を行う操作手段を記憶できる記憶手段を備え、各操作手段が入力操作受付不可の場合に、再度入力操作受付可能にする操作手段の選択をどの操作手段にて行うかを設定および変更を可能としたことにより、引越しやリフォームなどでキッチンにおける加熱装置の位置の変更、子供が小さい時は腕に抱える事が多い場合の再入力操作をし易い位置、親の近くで遊んだりする事が多い場合に子供が不用意に再入力操作をできない位置、大人しかいない場合の再入力操作を操作し易い位置などの家族構成の変化などに合わせて使いやすい設定に変更できることとなり、利便性を向上することができる。
【００１２】
第５の発明は、特に、第１〜第４のいずれか１つの発明において、操作手段のうちどの操作手段の入力操作が受付可能か受付不可かを使用者に知らせる１つまたは複数の発光素子を有する表示手段を備えたことにより、入力操作受付可能な操作手段の場合は発光素子を点灯させ、もうすぐ入力操作受付不可になろうしている操作手段の場合は発光素子を点滅させ、入力操作受付不可の操作手段の場合は発光素子を消灯させるといったようにどの操作手段が入力操作を受付可能かどうか、どの操作手段がもうすぐ入力操作受付不可になろうとしているか、どの操作手段が入力操作受付不可なのかといった各操作手段の状況を使用者は視覚的に捕らえる事が可能となり、使い勝手を向上することができる。
【００１３】
第６の発明は、特に、第１〜第５のいずれか１つの発明において、再度入力操作受付可能にする操作手段の入力操作が押し続けであり、入力操作受付可能にした後も継続して一定時間以上押し続けられていた場合、入力操作受付不可に戻すようにしたことにより、入力操作不可期間において、意図的でない再入力操作受付操作が発生した場合でも、操作手段が入力操作不可状態に戻るので、不用意に加熱手段が動作してしまうような機会が減少することとなり、安全性を向上することができる。
【００１４】
以下、本発明の実施の形態について、図面を参照しながら説明する。なお、この実施の形態によって本発明が限定されるものではない。
【００１５】
（実施の形態１）
図１、図２は、本発明の実施の形態１における加熱装置を示すものである。
【００１６】
図１は、本実施の形態における加熱装置として誘導加熱調理器を例示している。これは、装置本体の上面を構成し鍋１ａ、１ｂを載置する天板２と、天板２下方より鍋１ａ、１ｂを加熱する加熱コイルなどの加熱手段３ａ、３ｂと、前記加熱手段３ａ、３ｂに供給する電力を制御する加熱制御手段４ａ、４ｂと、前記加熱制御手段４ａ、４ｂに対応して設けた加熱条件を入力する操作手段５ａ、５ｂと、前記操作手段５ａ、５ｂへの入力操作を検知する検知手段６ａ、６ｂと、前記操作手段５ａ、５ｂへの電源供給後または調理終了後以降から未入力操作時間を計時して判定時間以上経過した時に判定時間到達信号を送る計時手段７ａ、７ｂと、前記検知手段６ａ、６ｂからの信号により前記加熱制御手段４ａ、４ｂの制御および前記計時手段７ａ、７ｂによる判定時間到達信号により前記操作手段５ａ、５ｂの加熱に関する入力操作の受付許可または禁止の制御を行う制御手段８ａ、８ｂとを備えている。
【００１７】
このように、各手段はそれぞれ独立した第一および第二の手段を有し、前記操作手段は、第一の操作手段５ａおよび第二の操作手段５ｂがともに入力操作受付不可の場合には、再度受付可能にする操作手段の選択を使用頻度が高い操作手段側（この場合は５ａ側）でできるようにするとともに、その操作手段の未入力操作判定時間を他より長くしたものである。
【００１８】
以上のように構成された加熱装置について、図２に基づき、以下その動作、作用を説明する。
【００１９】
ここでは、第一の操作手段５ａが第二の操作手段５ｂより未入力操作判定時間が長い、すなわち第一の操作手段５ａは使用頻度が高い側として説明する。
【００２０】
まず、電源投入後、天板２上に鍋１ｂを載せて、第二の操作手段５ｂで加熱の設定入力操作を行うとその入力操作を第二の検知手段６ｂが検知して、第二の制御手段８ｂが加熱の設定に見合った加熱指令を第二の加熱制御手段４ｂに出し、第二の加熱制御手段４ｂは第二の加熱手段３ｂに電力を供給して鍋１ｂの加熱を行う。第二の計時手段７ｂは入力操作が行われる度に未入力操作測定時間をクリアし、加熱中は未入力操作測定時間を常にクリアする。この間、第一の操作手段５ａにて入力操作が行われていなかった場合には、第一の計時手段７ａにて未入力操作測定時間がカウントアップされる。
【００２１】
そして、鍋１ｂ内の被加熱物の調理が終了する（ステップＳ１）。この時点では第二の操作手段５ｂは入力操作受付可能状態であり（ステップＳ２）、第二の操作手段５ｂにて入力操作が行われない間、第二の計時手段７ｂにて未入力操作測定時間がカウントアップされる（ステップＳ３）。未入力操作測定時間を未入力操作判定時間と比較し未入力操作判定時間以上経過していた場合には次ステップへ移行し、そうでない場合は未入力操作判定時間以上になるまで未入力操作測定時間がカウントアップする（ステップＳ４）。未入力操作測定時間が未入力操作判定時間以上になると、第二の操作手段５ｂで加熱調理に関係する入力操作ができなくなる（ステップＳ５）。
【００２２】
第二の操作手段５ｂで加熱に関係する入力操作ができない状態において、第一の操作手段５ａが加熱に関係する入力操作ができない状態であるかどうかを判断し（ステップＳ６）、第一の操作手段５ａが加熱に関係する入力操作ができない状態である場合には使用頻度が高い、すなわち使用者が立つ位置側の第一の操作手段５ａにて、どの操作手段を入力操作受付可能として使用するかまたはしないかを選択する（ステップＳ７）。この場合の入力操作受付可能にする操作手段の選択は、第一の操作手段５ａのみか、第一の操作手段５ａおよび第二の操作手段５ｂか、第一の操作手段５ａおよび第二の操作手段５ｂをそのまま入力操作受付不可のままにするかのいずれかである。
【００２３】
第二の操作手段５ｂで加熱に関係する入力操作ができない状態において、第一の操作手段５ａが加熱に関係する入力操作ができる状態の場合、第一の加熱手段３ａにて加熱が可能なのに敢えて第二の加熱手段３ｂを使用しようとしているので、使用者は第二の操作手段５ｂに近い側に立っている可能性が高い。このため、入力操作受付不可になっている第二の操作手段５ｂの加熱に関する入力操作受付許可にする操作は第二の操作手段５ｂで行うこととし、第二の操作手段５ｂにて第二の操作手段５ｂの入力操作受付許可操作をしたかどうかを判断し（ステップＳ８）、操作をしていない場合には引き続き第二の操作手段５ｂは加熱に関する入力操作受付を不可とする。第二の操作手段５ｂの入力操作受付許可操作をした場合、第二の操作手段５ｂを加熱に関する入力操作受付可能とする（ステップＳ９）。
【００２４】
以上のように、本実施の形態においては、第一および第二の操作手段５ａ、５ｂがともに入力操作受付不可の場合には、再度受付可能にする操作手段の選択を使用頻度が高い操作手段側でできるようにするとともに、その操作手段の未入力操作判定時間を他より長くした加熱装置としたことによって、不用意に加熱手段が加熱動作を行う機会を削減し、安全性を確保するとともに、使用者が立つ位置、すなわち使用頻度が高い操作手段側で再入力操作可能選択を行い、しかもその操作手段の未入力操作判定時間を他より長くし、使い勝手と安全性の向上が図れるものである。
【００２５】
なお、本実施の形態では、各手段として第一および第二の手段を有したものについて説明したが、これに限られるものではなく、それ以上の場合であってもよい。
【００２６】
また、第一および第二の操作手段５ａ、５ｂは天板２の上面に設けるとともに、第一および第二の操作手段５ａ、５ｂとは別に装置本体の前面に収納可能な（カンガルー方式などの）第三の操作手段（図示せず）を設け、第一および第二の操作手段５ａ、５ｂがともに入力操作受付不可の場合には、再度受付可能にする操作手段の選択を第三の操作手段で行うようにすることができる。この場合、鍋などの置き場所として未使用中の加熱手段上方の天板２上を使用していた場合などにおいて、鍋や取っ手の位置などにより天板２の上面の操作手段５ａ、５ｂが視界に入らず、気付かないまたは予期せぬ事で操作手段が受付再可能になるような機会が更に減少することとなり、安全性を向上することができる。
【００２７】
また、操作手段のうちどの操作手段の入力操作が受付可能か受付不可かを使用者に知らせる１つまたは複数の発光素子を有する表示手段（図示せず）を備えることができる。この場合、入力操作受付可能な操作手段は発光素子を点灯させ、もうすぐ入力操作受付不可になろうしている操作手段は発光素子を点滅させ、入力操作受付不可の操作手段は発光素子を消灯させるといったようにどの操作手段が入力操作を受付可能かどうか、どの操作手段がもうすぐ入力操作受付不可になろうとしているか、どの操作手段が入力操作受付不可なのかといった各操作手段の状況を使用者は視覚的に捕らえる事が可能となり、使い勝手が向上する。
【００２８】
（実施の形態２）
図３、図４は、本発明の実施の形態２における加熱装置を示すものである。実施の形態１と同一要素については同一符号を付してその説明を省略する。
【００２９】
本実施の形態において、実施の形態１との相違は、第一および第二の操作手段５ａ、５ｂに少なくとも１つ以上の未入力操作判定時間を記憶できる記憶手段９ａ、９ｂを備え、未入力操作判定時間の設定および変更を可能としていることである。なお、図示していないが、装置本体前面の第三の操作手段についても同様に記憶手段を備えている。
【００３０】
以上のように構成された誘導加熱装置について、図４に基づき、以下その動作、作用を説明する。
【００３１】
まず、電源投入後、天板２上に鍋１ｂを載せて、第二の操作手段５ｂで加熱の設定入力操作を行うと、その入力操作を第二の検知手段６ｂが検知して、第二の制御手段８ｂが加熱の設定に見合った加熱指令を第二の加熱制御手段４ｂに出し、第二の加熱制御手段４ｂは第二の加熱手段３ｂに電力を供給して鍋１ｂの加熱を行う。第二の計時手段７ｂは入力操作が行われる度に未入力操作測定時間をクリアし、加熱中は未入力操作測定時間を常にクリアする。この間、第一の操作手段５ａにて入力操作が行われていなかった場合には、第一の計時手段７ａにて未入力操作測定時間がカウントアップされる。
【００３２】
また、この未入力操作測定時間と比較する未入力操作判定時間は、電源投入時に制御手段８ａが記憶手段９ａから取り出して計時手段７ａに送り、制御手段８ｂも記憶手段９ｂから取り出して計時手段７ｂに送る。そして、鍋１ｂ内の被加熱物の調理が終了する（ステップＳ１０１）。この時点では第二の操作手段５ｂは入力操作受付可能状態であり（ステップＳ１０２）、第二の操作手段５ｂにて入力操作が行われない間、第二の計時手段７ｂにて未入力操作測定時間がカウントアップされる（ステップＳ１０３）。未入力操作測定時間を未入力操作判定時間と比較し未入力操作判定時間以上経過していた場合には次ステップへ移行し、そうでない場合は未入力操作判定時間以上になるまで未入力操作測定時間がカウントアップする（ステップＳ１０４）。
【００３３】
未入力操作測定時間が未入力操作判定時間以上になると第二の操作手段５ｂで加熱に関係する入力操作ができなくなる（ステップＳ１０５）。第二の操作手段５ｂで加熱に関係する入力操作ができない状態において、第一の操作手段５ａが加熱に関係する入力操作ができない状態であるかどうかを判断する（ステップＳ１０６）。第二の操作手段５ｂで加熱調理に関係する入力操作ができない状態において、第一の操作手段５ａが加熱に関係する入力操作ができる状態の場合、第一の加熱手段３ａにて加熱が可能なのに敢えて第二の加熱手段３ｂを使用しようとしているので、使用者は第二の操作手段５ｂに近い側に立っている可能性が高い。そのため、入力操作受付不可になっている第二の操作手段５ｂの加熱に関する入力操作受付許可にする操作は第二の操作手段５ｂで行うこととし、第二の操作手段５ｂにて第二の操作手段５ｂの入力操作受付許可操作をしたかどうかを判断し（ステップＳ１０８）、操作をしていない場合には引き続き第二の操作手段５ｂは加熱に関する入力操作受付を不可とする。
【００３４】
第二の操作手段５ｂの入力操作受付許可操作をした場合、第二の操作手段５ｂを加熱に関する入力操作受付可能とする（ステップＳ１０９）。第二の操作手段５ｂで加熱に関係する入力操作ができない状態において、第一の操作手段５ａが加熱に関係する入力操作ができない状態の場合は、第一の操作手段５ａの未入力操作判定時間と第二の操作手段５ｂの未入力操作判定時間を制御手段８ａ、８ｂにてどちらの時間の方が長いか判断し（ステップＳ１０７）、第一の操作手段５ａの未入力操作判定時間が長いと判断した場合には、第一の操作手段５ａ側を使用者がよく使用するものと判断して、第一の操作手段５ａにてどの操作手段を入力操作受付可能として使用するかまたはしないかを選択する（ステップＳ１１０）。この場合の入力操作受付可能にする操作手段の選択は、第一の操作手段５ａのみか、第一の操作手段５ａおよび第二の操作手段５ｂか、第一の操作手段５ａおよび第二の操作手段５ｂをそのまま入力操作受付不可のままにするかのいずれかである。
【００３５】
逆に第二の操作手段５ｂの未入力操作判定時間が長いと判断した場合には、第二の操作手段５ｂ側を使用者がよく使用するものと判断して、第二の操作手段５ｂにてどの操作手段を入力操作受付可能として使用するかまたはしないかを選択する（ステップＳ１１１）。この場合の入力操作受付可能にする操作手段の選択は、第二の操作手段５ｂのみか、第一の操作手段５ａおよび第二の操作手段５ｂか、第一の操作手段５ａおよび第二の操作手段５ｂをそのまま入力操作受付不可のままにするかのいずれかである。
【００３６】
以上のように、本実施の形態においては、第一〜第三の各操作手段に少なくとも１つ以上の未入力操作判定時間を記憶できる記憶手段を備え、未入力操作判定時間の設定および変更を可能としたことにより、夕食など忙しい食事の準備中など使用頻度の高い時間帯では未入力操作判定時間を延ばし、その他のあまり使用頻度が低い時間帯では逆に未入力操作判定時間を短くするといった調整や切り替えを行うこと、また使用者のキッチン環境や使用状況に合った形で、個々の操作手段の未入力操作時間を自由に選択することが可能となり、状況に応じた形で不用意に加熱手段が動作してしまうような機会が減少し、使い勝手および安全性を向上することができる。
【００３７】
なお、再度入力操作受付可能にする操作手段の選択を行う操作手段を記憶できる記憶手段を備え、各操作手段が入力操作受付不可の場合に、再度入力操作受付可能にする操作手段の選択をどの操作手段にて行うかを設定および変更を可能とすることにより、引越しやリフォームなどでキッチンにおける加熱装置の位置の変更、子供が小さい時は腕に抱える事が多い場合の再入力操作をし易い位置、親の近くで遊んだりする事が多い場合に子供が不用意に再入力操作をできない位置、大人しかいない場合の再入力操作を操作し易い位置などの家族構成の変化などに合わせて使いやすい設定に変更できることとなり、利便性を向上することができる。
【００３８】
（実施の形態３）
次に、図５に基づき、本発明の実施の形態３における加熱装置について説明する。加熱装置の全体構成については実施の形態１、２と同様であるのでその説明を省略する。
【００３９】
本実施の形態において、実施の形態１、２との相違は、再度入力操作受付可能にする操作手段の入力操作が押し続けであり、入力操作受付可能にした後も継続して一定時間以上押し続けられていた場合、入力操作受付不可に戻すようにしたことである。
【００４０】
図に示すように、第一の操作手段５ａにより加熱の設定入力操作を行うと、第一の操作手段５ａが加熱に関する入力操作受付不可かどうかを判定する（ステップＳ２０１）。次に第一の操作手段５ａが加熱に関する入力操作受付不可であった場合、第二の操作手段５ｂが加熱に関する入力操作受付不可かどうかを判定する（ステップＳ２０２）。第一の操作手段５ａおよび第二の操作手段５ｂが加熱に関する入力操作受付不可である場合に、未入力操作判定時間が長い方が第一の操作手段５ａであったとする。入力操作受付許可操作を第一の操作手段５ａにて行う（ステップＳ２０３）と、加熱に関する入力操作受付可能とする操作手段の選択が可能となる（ステップＳ２０４）。
【００４１】
加熱に関する入力操作受付可能とする操作手段の選択が可能な状態になっても、入力操作受付許可操作が継続して続いていた場合（ステップＳ２０５）、入力操作受付許可操作が継続して行われている時間をカウントしておいてある一定時間以上経過していた場合（ステップＳ２０６）には入力操作受付許可操作が使用者の意図的なものではなく別の要因でたまたま入力操作受付許可操作のような入力操作が行われたと判断し、第一の操作手段５ａおよび第二の操作手段５ｂは再び入力操作不可状態となる（ステップＳ２０７）。また入力操作不可状態になった後も継続して入力操作受付許可操作が行われている場合には、再度入力操作受付許可操作と見なさず、一旦未入力操作となった後より入力操作受付許可操作かどうかの判断を行うようにする。
【００４２】
以上のように、本実施の形態においては、再度入力操作受付可能にする操作手段の入力操作が押し続けであり、入力操作受付可能にした後も継続して一定時間以上押し続けられていた場合、入力操作受付不可に戻すようにしたことにより、入力操作不可期間において、意図的でない再入力操作受付操作が発生した場合でも、操作手段が入力操作不可状態に戻るので、不用意に加熱手段が動作してしまうような機会が減少することとなり、安全性を向上することができる。
【００４３】
なお、上記各実施の形態１〜３に示した構成は、必要に応じて適宜組み合わせることができるものであり、各実施の形態の構成に限定されるものではない。
【産業上の利用可能性】
【００４４】
以上のように、本発明にかかる加熱装置は、不測の事態に対する安全性の向上と使い勝手の向上を図ることができるものであるので、誘導加熱調理器はもちろんのこと、複数の操作手段を持ちそれぞれが一定時間不操作であると入力を受け付けなくなるその他の装置にも適用できる。
【図面の簡単な説明】
【００４５】
【図１】本発明の実施の形態１における誘導加熱装置の構成を示すブロック図
【図２】同誘導加熱装置の動作を示すフローチャート
【図３】本発明の実施の形態２における誘導加熱装置の構成を示すブロック図
【図４】同誘導加熱装置の動作を示すフローチャート
【図５】本発明の実施の形態３における誘導加熱装置の動作を示すフローチャート
【符号の説明】
【００４６】
１ａ、１ｂ  鍋
２  天板
３ａ、３ｂ  加熱手段
４ａ、４ｂ  加熱制御手段
５ａ、５ｂ  操作手段
６ａ、６ｂ  検知手段
７ａ、７ｂ  計時手段
８ａ、８ｂ  制御手段
９ａ、９ｂ  記憶手段
【図１】
0004415936.tif 000002
【図２】
0004415936.tif 000003
【図３】
0004415936.tif 000004
【図４】
0004415936.tif 000005
【図５】
0004415936.tif 000006